(57)【要約】      （修正有）【課題】多関節型ロボットのハンドによって、粘着シート上に貼り付けられたフィルムをその粘着シートから確実に剥離させる方法を提供する。【解決手段】多関節型ロボット１のハンド３に弾性的に屈曲変形可能な薄板状の爪部４を突設し、粘着シートの少なくとも一箇所の縁部の外側に平坦な案内面７ａを設け、ハンド３の移動によって、爪部４の先端部を案内面に対し傾斜させて押し当て、その爪部の先端部が案内面に添うように弾性的に変形させ、爪部の先端部を粘着シートとフィルムとの間にさらに入り込ませながら、爪部４を粘着シートの縁部の延在方向へも移動させることで、フィルムの縁部に沿う部分を爪部４の傾斜部分に乗り上げさせて、粘着シートから剥離させる。【選択図】図１
2014108878.tif 000002
【特許請求の範囲】
【請求項１】
所定位置に保持された粘着シート上に貼り付けられたフィルムを多関節型ロボットのハンドによってその粘着シートから剥離させるに際し、
前記ハンドに弾性的に屈曲変形可能な薄板状の爪部を突設し、
前記粘着シートの少なくとも一箇所の縁部の外側に平坦な案内面を設け、
前記ハンドの移動によって、
先ず、前記爪部の先端部を前記案内面に対し傾斜させて押し当てて、その爪部の先端部が前記案内面に添うように前記爪部を弾性的に屈曲変形させ、
次いで、前記爪部を、前記先端部が前記案内面に添った状態で前記粘着シートの前記縁部へ向けて移動させ、前記先端部を前記粘着シートの前記縁部上に乗り上げさせながら前記先端部に前記フィルムの対応する縁部を押し上げさせて、前記先端部を前記粘着シートの縁部と前記フィルムの対応する縁部との間に入り込ませ、
次いで、前記爪部の前記先端部を前記粘着シートと前記フィルムとの間にさらに入り込ませながら、前記爪部を前記粘着シートの前記縁部の延在方向へも移動させることで、前記フィルムの前記縁部に沿う部分を前記爪部の傾斜部分に乗り上げさせて前記粘着シートから大きく剥離させることを特徴とする、多関節型ロボットによるフィルム剥離方法。
【請求項２】
前記案内面は、所定位置に保持されたワークの、前記粘着シートが設けられた表面の一部であることを特徴とする、請求項１記載の多関節型ロボットによるフィルム剥離方法。
【請求項３】
前記粘着シートは両面テープであり、
前記両面テープは、前記ワークの表面に、その両面テープの一方の粘着面で貼り付けられていて、他方の粘着面上に前記フィルムを貼り付けられていることを特徴とする、請求項２記載の多関節型ロボットによるフィルム剥離方法。
【請求項４】
前記多関節型ロボットは双腕ロボットであり、
前記双腕ロボットは一方の腕のハンドで前記ワークを所定位置に保持しつつ、他方の腕のハンドに設けられた前記爪部で、請求項２または３記載のフィルム剥離方法により、前記案内面を持つように前記ワークの表面に設けられた前記粘着シートから前記フィルムを剥し、その後に前記ワークを前記粘着シートで所定部位に貼り付け装着することを特徴とする、多関節型ロボットによるワーク装着方法。
【発明の詳細な説明】
【技術分野】
【０００１】
この発明は、多関節型ロボットのハンド（エンドエフェクタ）によって、粘着シート上に貼り付けられたフィルム（薄膜）をその粘着シートから剥離させる方法および、その剥離方法を用いた多関節型ロボットによるワーク装着方法に関するものである。
【背景技術】
【０００２】
製品の組立作業中には、両面テープ等の粘着シートによるワークの装着作業が含まれている場合があり、この装着作業を自動化する場合、専用機による自動化や、自動化し易い形状を有する両面テープの利用等が行われている。
【０００３】
一般に流通している通常の両面テープでワークを装着する作業の自動化に関しては、両面テープが柔軟物であるという点と、両面テープから保護フィルムを剥離させる必要があるという点との２つの課題があり、前者については吸着装置を用いて保護フィルム側を吸着保持して取り扱う方法がある。しかしながら後者については多関節ロボットで行うことができていず、通常は専用機械が必要であった。
【０００４】
このため例えば従来、特許文献１記載の方法が提案されており、この方法では、ワークとしての粘着シート状のシール部品１枚毎に剥離紙に円形、矩形あるいはＵ字形の輪郭の切れ込みを入れておいて、その切れ込みの閉じた輪郭の部分がシール部品から外れて露出するように剥離紙上にシール部品を貼り付けておき、その剥離紙をシール部品側を上向きにして柔らかい台上に位置決め固定し、多関節型ロボットのハンド（エンドエフェクタ）に設けた側面視Ｌ字状の下フィンガの水平な爪部を、そのシール部品から外れて露出している閉じた輪郭の切れ込みの内側部分の剥離紙に押し付けて、他の部分の剥離紙を台で支持しながら、その内側部分の剥離紙を台と一緒に押し下げることによりシール部品から剥離させ、その状態で下フィンガの爪部をシール部品の下まで移動させ、その下フィンガの強固な爪部と上フィンガとでシール部品を挟んで剥離紙から引き剥がし、取り扱っている。
【０００５】
また従来、特許文献２記載の方法も提案されており、この方法では、ワークとしての粘着シート状のシール部品１枚毎に剥離紙にコ字状の輪郭の切れ込みをその輪郭が開いた端部同士を向き合わせて２箇所ずつ入れておいて、それらの切れ込みの閉じた輪郭の部分がシール部品から外れて露出するようにそれらの切れ込みに跨って剥離紙上にシール部品を貼り付けておき、その剥離紙をシール部品側を上向きにして、上記切れ込みの閉じた輪郭の部分に対応する凹部を持つ台上に位置決め固定し、多関節型ロボットのハンド（エンドエフェクタ）としての吸着ローラの両外側にその吸着ローラに対し昇降可能にかつ水平な爪部を互いに向き合わせて設けた側面視Ｌ字状の２本の押し下げフィンガを吸着ローラよりも下方に突出させ、それらの押し下げフィンガの強固な爪部を、そのシール部品から外れて両側に露出している閉じた輪郭の切れ込みの内側部分の剥離紙にそれぞれ押し付けて、他の部分の剥離紙を台で支持しながら、その内側部分の剥離紙を押し下げることによりシール部品から剥離させて台の凹部の底に押し付け、その状態で吸着ローラを下降させて、その吸着ローラの周囲に開口した多数の吸着穴内の負圧エアでシール部品を吸着して剥離紙から引き剥がし、取り扱っている。
【先行技術文献】
【特許文献】
【０００６】
【特許文献１】特許４６８８３１９号公報
【特許文献２】特開平０７−１５６９３１号公報
【発明の概要】
【発明が解決しようとする課題】
【０００７】
しかしながら上記従来の方法では何れも、フィンガの強固な爪部を、シール部品から外れて露出している閉じた輪郭の切れ込みの内側部分の剥離紙に押し付けて、他の部分の剥離紙を台で支持しながら、その内側部分の剥離紙を押し下げることによりシール部品から剥離させており、このため、シール部品の粘着力が強いとその押し下げた部分がシール部品との境界で折れ曲がるだけで、その押し下げた部分から外れてシール部品の下に位置する剥離紙がシール部品から剥れず、フィンガや吸着ローラでシール部品を剥し損なう場合があるという問題があった。
【０００８】
それゆえこの発明は、多関節型ロボットのハンド（エンドエフェクタ）によって、粘着シート上に貼り付けられたフィルム（薄膜）をその粘着シートから確実に剥離させる方法および、その剥離方法を用いた多関節型ロボットによるワーク装着方法を提供することを目的としている。
【課題を解決するための手段】
【０００９】
この発明は、上記課題を有利に解決するものであり、この発明の多関節型ロボットによるフィルム剥離方法は、所定位置に保持された粘着シート上に貼り付けられたフィルム（薄膜）を多関節型ロボットのハンドによってその粘着シートから剥離させるに際し、前記ハンドに弾性的に屈曲変形可能な薄板状の爪部を突設し、前記粘着シートの少なくとも一箇所の縁部の外側に平坦な案内面を設け、前記ハンドの移動によって、先ず、前記爪部の先端部を前記案内面に対し傾斜させて押し当てて、その爪部の先端部が前記案内面に添うように前記爪部を弾性的に屈曲変形させ、次いで、前記爪部を、前記先端部が前記案内面に添った状態で前記粘着シートの前記縁部へ向けて移動させ、前記先端部を前記粘着シートの前記縁部上に乗り上げさせながら前記先端部に前記フィルムの対応する縁部を押し上げさせて、前記先端部を前記粘着シートの縁部と前記フィルムの対応する縁部との間に入り込ませ、次いで、前記爪部の前記先端部を前記粘着シートと前記フィルムとの間にさらに入り込ませながら、前記爪部を前記粘着シートの前記縁部の延在方向へも移動させることで、前記フィルムの前記縁部に沿う部分を前記爪部の傾斜部分に乗り上げさせて前記粘着シートから大きく剥離させることを特徴とするものである。
【００１０】
なお、この発明の多関節型ロボットによるフィルム剥離方法においては、前記案内面は、所定位置に保持されたワークの、前記粘着シートが設けられた表面の一部であると、そのワークの装着作業が容易に行えるので好ましい。
【００１１】
また、この発明の多関節型ロボットによるフィルム剥離方法においては、前記粘着シートは両面テープであり、前記両面テープは、前記ワークの表面に、その両面テープの一方の粘着面で貼り付けられていて、他方の粘着面上に前記フィルムを貼り付けられていると、通常の両面テープを用いてワークが装着できるので好ましい。
【００１２】
一方、この発明の多関節型ロボットによるワーク装着方法は、前記多関節型ロボットが双腕ロボットであり、前記双腕ロボットは一方の腕のハンドで前記ワークを所定位置に保持しつつ、他方の腕のハンドに設けられた前記爪部で、前記フィルム剥離方法により、前記案内面を持つように前記ワークの表面に設けられた前記粘着シートから前記フィルム（薄膜）を剥し、その後に前記ワークを前記粘着シートで所定部位に貼り付け装着することを特徴とするものである。
【発明の効果】
【００１３】
上述したこの発明の多関節型ロボットによるフィルム剥離方法によれば、所定位置に保持された粘着シート上に貼り付けられたフィルムを多関節型ロボットのハンドによってその粘着シートから剥離させるに際し、前記ハンドに弾性的に屈曲変形可能な薄板状の爪部を突設し、前記粘着シートの少なくとも一箇所の縁部の外側に平坦な案内面を設け、前記ハンドの移動によって、先ず、前記爪部の先端部を前記案内面に対し傾斜させて押し当てて、その爪部の先端部が前記案内面に添うように前記爪部を弾性的に屈曲変形させ、次いで、前記爪部を、前記先端部が前記案内面に添った状態で前記粘着シートの前記縁部へ向けて移動させ、前記先端部を前記粘着シートの前記縁部上に乗り上げさせながら前記先端部に前記フィルムの対応する縁部を押し上げさせて、前記先端部を前記粘着シートの縁部と前記フィルムの対応する縁部との間に入り込ませることから、粘着シートの縁部とフィルムの対応する縁部との境界部分に爪部の先端部を正確に対向させなくても、爪部の先端部が粘着シートの縁部とフィルムの対応する縁部との間に入り込んでそれらを確実に剥離させることができる。
【００１４】
そしてこの発明の多関節型ロボットによるフィルム剥離方法によれば、次いで、前記爪部の前記先端部を前記粘着シートと前記フィルムとの間にさらに入り込ませながら、前記爪部を前記粘着シートの前記縁部の延在方向へも移動させることで、前記フィルムの前記縁部に沿う部分を前記爪部の傾斜部分に乗り上げさせて前記粘着シートから剥離させることから、一旦剥離させたフィルムが再度粘着シートに貼り付いてしまうことを防止することができる。
【００１５】
また、この発明の多関節型ロボットによるワーク装着方法によれば、前記多関節型ロボットが双腕ロボットであり、前記双腕ロボットは一方の腕のハンドで前記ワークを所定位置に保持しつつ、他方の腕のハンドに設けられた前記爪部で、前記フィルム剥離方法により、前記案内面を持つように前記ワークの表面に設けられた前記粘着シートから前記フィルムを剥し、その後に前記ワークを前記粘着シートで所定部位に貼り付け装着することから、双腕ロボットに、粘着シートを用いたワークの装着作業を確実に行わせることができる。
【図面の簡単な説明】
【００１６】
【図１】（ａ）は、この発明の多関節型ロボットによるフィルム剥離方法の一実施例を用いたこの発明の多関節型ロボットによるワーク装着方法の一実施例において多関節型双腕ロボットの一方の腕のハンドの爪部により他方の腕のハンドで保持したワークの表面上の粘着シートとしての両面テープからフィルムとしての剥離紙を剥離させている状態を示す略線図、（ｂ）は、その図１（ａ）の要部を拡大して示す略線図、（ｃ）は、その図１（ｂ）の状態を拡大して示す断面図である。
【図２】（ａ）は、上記実施例の多関節型ロボットによるフィルム剥離方法および上記実施例の多関節型ロボットによるワーク装着方法に用いられる多関節型双腕ロボットの一方の腕の先端部に設けられたハンドと、他方の腕の先端部に設けられたハンドとしての吸着パッドとを示す正面図、（ｂ）は、その実施例のフィルム剥離方法およびワーク装着方法に用いられる多関節型双腕ロボットの一方の腕のハンドの爪部と、他方の腕の吸着パッドが吸着保持するワークとを示す平面図、（ｃ）は、そのワーク上に設けられた両面テープおよびその上の剥離紙を拡大するとともに一部切り欠いて示す側面図である。
【図３】上記実施例のフィルム剥離方法およびワーク装着方法における爪部の、ワークに対する移動経路を示す平面図である。
【図４】（ａ）〜（ｆ）は、上記実施例のフィルム剥離方法およびワーク装着方法において一方の腕のハンドによりワーク上の両面テープから剥離紙を剥離させて除去する手順を示す説明図である。
【図５】（ａ）〜（ｆ）は、上記実施例のフィルム剥離方法およびワーク装着方法において爪部により両面テープから剥離紙を剥離させる手順を示す説明図、（ｇ）は（ｄ）のＡ部を拡大して示す説明図、（ｈ）は（ｅ）のＢ部を拡大して示す説明図である。
【発明を実施するための形態】
【００１７】
以下、この発明の実施の形態を図面に基づく実施例によって詳細に説明する。ここに、図１（ａ）は、この発明の多関節型ロボットによるフィルム剥離方法の一実施例を用いたこの発明の多関節型ロボットによるワーク装着方法の一実施例において多関節型双腕ロボットの一方の腕のハンドの爪部により他方の腕のハンドで保持したワークの表面上の粘着シートとしての両面テープからフィルムとしての剥離紙を剥離させている状態を示す略線図、図１（ｂ）は、その図１（ａ）の要部を拡大して示す略線図、図１（ｃ）は、その図１（ｂ）の状態を拡大して示す断面図である。
【００１８】
この実施例の多関節型ロボットによるフィルム剥離方法およびそれを用いるこの実施例の多関節型ロボットによるワーク装着方法では、例えば本願出願人が先に特開２０１０−０６４１９８号公報にて開示した如き多関節型双腕ロボット１（ここでは略線図で示す）を用い、その双腕ロボット１の一方の腕２の先端部のハンド３に設けた爪部４によって、他方の腕５の先端部のハンド６により所定位置に保持した図では厚板状のワーク７の表面上に設けられた粘着テープとしての通常の両面テープ８の粘着面上に貼り付けられたフィルムとしての剥離紙９を、その両面テープ８から剥離させる。なお、多関節型双腕ロボット１は、図示しないが上記公報記載のものと同様、頭部に２台のビデオカメラを有し、それらのビデオカメラからの画像に基づき、作業場所やワーク等の対象物の形状および種類を認識するとともに、ビデオカメラの向きとカメラ測量の原理とによって対象物の３次元位置を認識することができるので、あらかじめ組立作業の概略手順と対象物とを教示しておくことで、先に与えられたプログラムに基づき、対象物の種類に応じて後述する組立作業を行うことができる。以下では、これらの実施例について具体的に詳述する。
【００１９】
図２（ａ）は、上記実施例の多関節型ロボットによるフィルム剥離方法および上記実施例の多関節型ロボットによるワーク装着方法に用いられる多関節型双腕ロボットの一方の腕の先端部に設けられたハンドと、他方の腕の先端部に設けられたハンドとしての吸着パッドとを示す正面図、図２（ｂ）は、その実施例のフィルム剥離方法およびワーク装着方法に用いられる多関節型双腕ロボットの一方の腕のハンドの爪部と、他方の腕の吸着パッドが吸着保持するワークとを示す平面図、図２（ｃ）は、そのワーク上に設けられた両面テープおよびその上の剥離紙を拡大するとともに一部切り欠いて示す側面図である。
【００２０】
この実施例の多関節型ロボットによるフィルム剥離方法およびそれを用いるこの実施例の多関節型ロボットによるワーク装着方法では、ハンド３は二本のフィンガ３ａ，３ｂを有し、それらのフィンガ３ａ，３ｂを、正圧エア源１０から正圧エアを供給される図示しないエアシリンダで開閉作動させて、それらのフィンガ３ａ，３ｂ間に剥離紙９を挟持することができる。そして爪部４は、それらのフィンガ３ａ，３ｂのうち下側のフィンガ３ａに固設されてその下側のフィンガ３ａから突出しており、この爪部４は、例えば厚さ０．３ｍｍの樹脂シートで形成されて、後述の如く弾性的に屈曲変形可能な薄板状をなしており、その先端部の平面形状は、図２（ｂ）に示すように、例えばθ＝９０度の挟角で先細りとなるとともにＲ＝２ｍｍの半径で丸められ、その先端の断面形状も略半円状に丸められている。
【００２１】
また、もう一方のハンド６は具体的には吸着パッド６（以下、ハンド６と同一の符号にて示す）とされており、その吸着パッド６は、負圧エア源１１から負圧エアを供給されてワーク７の図２（ｃ）では下側の平坦な表面を吸着し、ワーク７を保持する。両面テープ８はその両面の粘着面のうちの一方（図２（ｃ）では下方）の粘着面でワーク７の図２（ｃ）では上側の平坦な表面上に貼り付けられており、この実施例のフィルム剥離方法ではそのワーク７の平坦な表面のうち、両面テープ８の少なくとも一箇所の縁部（図２では左側の縁部）の外側の部分を平坦な案内面７ａとする。
【００２２】
しかして上記剥離紙９の、両面テープ８からの剥離を上記双腕ロボット１に行わせるに際し、この実施例のフィルム剥離方法では、図３および図４に示す如くしてその剥離を行わせる。すなわちここでは、先ず、図４（ａ）に示すように、静止している腕５の吸着パッド６が吸着しているワーク７上で、腕２のハンド３の移動によって、爪部４を案内面７ａの上方に位置させ、次いで図４（ｂ）に示すように、ハンド３の下降移動によって爪部４の先端部を案内面７ａに対し傾斜させて押し当てて、その爪部４の先端部が案内面７ａに添うように爪部４を弾性的に屈曲変形させる。
【００２３】
次いで図４（ｃ）に示すとともに図３中の矢印Ｐ１で示すように、爪部４をその先端部が案内面７ａに添った状態で両面テープ８の上記縁部へ向けて移動させて、爪部４の先端部を両面テープ８の上記縁部とそれに対応する剥離紙９の縁部との間の境界部分に入り込ませ、次いで図４（ｄ）に示すとともに図３中の矢印Ｐ２で示すように、爪部４の先端部を両面テープ８と剥離紙９との間にさらに入り込ませながら、爪部４を両面テープ８の上記縁部の延在方向へも移動させることで、剥離紙９の上記縁部に沿う部分を爪部４の傾斜部分から下側のフィンガ３ａ上に乗り上げさせて両面テープ８から大きく剥離させ、その状態で図４（ｅ）に示すようにフィンガ３ａ，３ｂを閉じて、それらのフィンガ３ａ，３ｂ間に剥離紙９を挟持する。
【００２４】
そしてその後は、腕２で一旦少しハンド３を持ち上げてから、図４（ｆ）に示すとともに図３中の矢印Ｐ３で示すように、ハンド３によりフィンガ３ａ，３ｂを爪部４とともに両面テープ８の上記縁部の延在方向へ逆向きに移動させることで、剥離紙９を両面テープ８から確実に剥離させ、次いで腕２でハンド３を移動させて剥離紙９を所定の廃棄場所に廃棄し、その一方、腕５でワーク７を移動させて、その両面テープ８で図示しない製品の所定部位にワーク７を貼り付け装着する。
【００２５】
図５（ａ）〜（ｈ）は、上記作業における剥離紙９の剥離作業をさらに詳細に示している。すなわちここでは、先ず、図５（ａ）に示すように、静止しているワーク７に対し、爪部４を案内面７ａの上方に位置させ、次いで図５（ｂ）に示すように、爪部４の先端部を案内面７ａに対し傾斜させて押し当てて、図５（ｃ）に示すように、その爪部４の先端部が案内面７ａに添うように爪部４を弾性的に屈曲変形させ、次いで図５（ｄ）に示すように、爪部４をその先端部が案内面７ａに概ね添った状態で両面テープ８の上記縁部へ向けて移動させて、図５（ｇ）に拡大して示すように、爪部４の丸められた先端部を両面テープ８の上記縁部とそれに対応する剥離紙９の縁部との間の境界部分に押し付け、さらに爪部４を前進移動させて、図５（ｅ）に示すとともに図５（ｈ）に拡大して示すように、爪部４の丸められた先端部を両面テープ８の上記縁部とそれに対応する剥離紙９の縁部との間の境界部分に入り込ませる。このとき、両面テープ８側の剥離紙９の表面は、ワーク７の表面よりも両面テープ８の粘着面に対する粘着力が小さくなるように処理されているから、爪部４の先端部で押されても両面テープ８の縁部はワーク７の表面に粘着し続ける一方、爪部４の先端部で押されると剥離紙９の縁部は両面テープ８の縁部から剥離する。次いでここでは図５（ｆ）に示すように、爪部４の先端部を両面テープ８と剥離紙９との間にさらに入り込ませて、剥離紙９を両面テープ８から大きく剥離させる。
【００２６】
従って、この実施例の多関節型ロボットによるフィルム剥離方法によれば、両面テープ８の縁部と剥離紙９の対応する縁部との境界部分に爪部４の先端部を正確に対向させなくても、爪部４の先端部が両面テープ８の縁部と剥離紙９の対応する縁部との間に入り込んでそれらを確実に互いに剥離させることができる。
【００２７】
そしてこの実施例の多関節型ロボットによるフィルム剥離方法によれば、次いで、爪部４の先端部を両面テープ８と剥離紙９との間にさらに入り込ませながら、爪部４を両面テープ８の上記縁部の延在方向へも移動させることで、剥離紙９の上記縁部に沿う部分を爪部４の傾斜部分に乗り上げさせて両面テープ４から剥離させることから、一旦剥離させた剥離紙９が再度両面テープ８に貼り付いてしまうことを防止することができる。
【００２８】
さらにこの実施例の多関節型ロボットによるフィルム剥離方法によれば、案内面７ａは、所定位置に保持されたワーク７の、両面テープ８が設けられた表面の一部であるので、ワーク７の装着作業を容易に行うことができる。
【００２９】
さたにこの実施例の多関節型ロボットによるフィルム剥離方法によれば、粘着シートは両面テープ８であり、その両面テープ８はワーク７の表面に、その両面テープ８の一方の粘着面で貼り付けられていて、他方の粘着面上に剥離紙９を貼り付けられているので、通常の両面テープ８を用いてワーク７を装着することができる。
【００３０】
そして、この実施例の多関節型ロボットによるワーク装着方法によれば、多関節型ロボット１が双腕ロボットであり、双腕ロボット１は一方の腕５のハンドでワーク７を所定位置に保持しつつ、他方の腕２のハンド３に設けられた爪部４で、上記実施例のフィルム剥離方法により、ワーク７が案内面７ａを持つようにワーク７の表面に配設された両面テープ８から剥離紙９を剥し、その後にワーク７を両面テープ８で製品の所定部位に貼り付け装着することから、双腕ロボット１に、通常の両面テープ８を用いたワーク７の装着作業を確実に行わせることができる。
【００３１】
以上、図示例に基づき説明したが、この発明は上述の例に限定されるものでなく、特許請求の範囲の記載範囲内で適宜変更し得るものであり、例えば、上記実施例のフィルム剥離方法およびワーク装着方法では多関節型ロボットは双腕ロボットとしたが、多関節型ロボットは片腕だけのものでも良く、その場合にワークは作業場所の所定位置に固設した治具で保持しても良い。
【００３２】
また、上記実施例のフィルム剥離方法およびワーク装着方法では粘着シートは両面テープとしたが、片面だけの粘着面を外側に向けてワークの表面に接着剤等で固着されたものでも良い。そして上記実施例のフィルム剥離方法およびワーク装着方法では剥離させるフィルム（薄膜）を剥離紙としたが、樹脂製の保護フィルムとしても良い。
【産業上の利用可能性】
【００３３】
かくしてこの発明の多関節型ロボットによるフィルム剥離方法によれば、粘着シートの縁部とフィルムの対応する縁部との境界部分に爪部の先端部を正確に対向させなくても、爪部の先端部が粘着シートの縁部とフィルムの対応する縁部との間に入り込んでそれらを確実に剥離させることができ、また、一旦剥離させたフィルムが再度粘着シートに貼り付いてしまうことを防止することができる。
【００３４】
そしてこの発明の多関節型ロボットによるワーク装着方法によれば、粘着シートを用いたワークの装着作業を双腕ロボットに確実に行わせることができる。
【符号の説明】
【００３５】
１  多関節型双腕ロボット
２  腕
３  ハンド（エンドエフェクタ）
３ａ  下側のフィンガ
３ｂ  上側のフィンガ
４  爪部
５  腕
６  ハンド（吸着パッド）
７  ワーク
７ａ  案内面
８  両面テープ
９  剥離紙
１０  正圧エア源
１１  負圧エア源
【図１】
2014108878.tif 000003
【図２】
2014108878.tif 000004
【図３】
2014108878.tif 000005
【図４】
2014108878.tif 000006
【図５】
2014108878.tif 000007